(57)【特許請求の範囲】
【請求項１】
ポンプ付の硬質ボトル２０と、２個の詰替え用の軟質パウチ２１，２１とを、詰合せて収容する袋状のキャリーカートンであって、後面被せ板３と、中央に取っ手板４を谷折り線を介して連設した幅狭の上面被せ板５と、中央下部の左右辺に糊代片６，６を折り目線を介して連設して、左右の肩部に切欠きｂ，ｂを設けた前面板７と、中央に折り目線ｃを設けた左右端が円弧状の底面板８と、中央上部に上面被せ板５と後面被せ板３とを被せて後面板７の繋止切れ目ｄに繋止片２の突起ａを繋止可能な繋止切れ目ｄと左右の肩部に切欠きｂ，ｂを設けた後面板７と、中央に取っ手板４を谷折り線を介して連設した幅狭の上面板９とを、それぞれ折り目線を介して順に連設して、底面板８の折り目線ｃを山折り又は谷折りして、前面板７の糊代片６，６と後面板７の左右部とを、偏平袋状に貼着したことを特徴とする袋状のキャリーカートン。
【請求項２】
請求項１に記載の袋状のキャリーカートンにおいて、前面板７の適宜の位置に、１個又は２個以上の適宜の目視開口ｅ，ｅ，…を設けたことを特徴とする袋状のキャリーカートン。
【発明の詳細な説明】
【０００１】
【発明の属する技術分野】
本発明は、例えばシャンプー、リンス、薬用石鹸などが入った、ポンプ付のプラスチック製の硬質ボトル２０と、２個の詰替え用の積層樹脂フィルム製の軟質パウチ２１，２１とを、詰合せて収容する、工程が簡単で作製費用が廉価な板紙製などの、展示、販売効果が優れた袋状のキャリーカートンに関する。
【０００２】
【従来の技術】
従来から、菓子、ケーキ類やファーストフード類や各種の催事品などを収容する、図４Ａに示すような、上辺に繋止孔付の取っ手繋止板を連設した左右の側面板と、上辺に前後の上面板と繋止突起付の取っ手板とを順に連設した前後の側面板と、オートロック式などの底面板とから成る、前後の上面板を被せて、取っ手繋止板の繋止孔に取っ手板の繋止突起を繋止して持運ぶ、剛性を有する板紙製などの、横長直方体状の展示、販売効果が優れたキャリーカートンが、広く用いられている。
【０００３】
また従来から、寸法、形状、性状などが異なった２個(２種類)以上の、購入した商品を同時に収容することができる、図４Ｂに示すような、中央部を"縦ひだ"状に折込んだ左右の側面と、上部に取っ手紐を装着した前後の側面と、板紙などで保形した底面とから成る、取っ手紐に指を掛けて持運ぶ、柔軟性を有する紙製又は樹脂フィルムを積層した紙製などの、上面を開放した縦長直方体状の利便性が優れたキャリーバッグが、一般に広く用いられている。
【０００４】
【発明が解決しようとする課題】
最近の、地球環境に係る廃棄物処理問題に関連して、プラスチック材料の使用を減らしたいとの要請があって、例えばシャンプー、リンス、薬用石鹸などが入った、ポンプ付のプラスチック製の硬質ボトルに加えて、同様に薬用石鹸などが入った、詰替え用の積層樹脂フィルム製の軟質パウチが、ブームのように広く販売されているものであって、一方顧客においては、例えばシャンプー、リンス、薬用石鹸などが入った、１個のポンプ付のプラスチック製の硬質ボトルに加えて、価格が安いと言う理由もあって、同様に薬用石鹸などが入った、１個又は２個以上の詰替え用の積層樹脂フィルム製の軟質パウチを、同時に購入することが多いものであった。
【０００５】
ところが従来の、図４Ａに示す横長直方体状のキャリーカートンについては、表面の美麗な印刷や取っ手板のディスプレー効果などによって、顧客が思わず手を出したくなるような、展示、販売効果が優れたキャリーカートンであるものの、収容部が剛性を有する横長直方体状であるために、例えばシャンプー、リンス、薬用石鹸などが入った、ポンプ付のプラスチック製の硬質ボトルと詰替え用の積層樹脂フィルム製の軟質パウチとのような、寸法、形状、性状などが異なった２個(２種類)以上の商品を詰合せて収容するには適さないものであった。
【０００６】
一方従来の、図４Ｂに示す上面を開放した縦長直方体状のキャリーバッグについては、例えばシャンプー、リンス、薬用石鹸などが入った、１個のポンプ付のプラスチック製の硬質ボトルと、１個又は２個以上の詰替え用の積層樹脂フィルム製の軟質パウチとのような、寸法、形状、性状などが異なった２個(２種類)以上の、購入した商品を同時に収容することができる、利便性が優れたキャリーバッグであるものの、余りにも一般に普及した形状であるために、顧客が思わず手を出したくなるような、展示、販売効果が期待できないものであった。
【０００７】
ところで、本発明の目的は、例えばシャンプー、リンス、薬用石鹸などが入った、ポンプ付のプラスチック製の硬質ボトル２０と、２個の詰替え用の積層樹脂フィルム製の軟質パウチ２１，２１とを、詰合せて収容する、工程が簡単で作製費用が廉価な板紙製などの、丸みを帯びた袋状の斬新な形状であって、顧客が思わず手を出したくなるような、展示、販売効果が優れた袋状のキャリーカートンを提供することにある。
【０００８】
【課題を解決するための手段】
本発明の袋状のキャリーカートンは、ポンプ付の硬質ボトル２０と、２個の詰替え用の軟質パウチ２１，２１とを、詰合せて収容する袋状のキャリーカートンであって、図１、図２、図３に示すように、後面被せ板３と、中央に取っ手板４を谷折り線（符号がない破線、以下同じ）を介して連設した幅狭の上面被せ板５と、中央下部の左右辺に糊代片６，６を折り目線（符号がない１点鎖線、以下同じ）を介して連設して、左右の肩部に切欠きｂ，ｂを設けた前面板７と、中央に折り目線ｃを設けた左右端が円弧状の底面板８と、中央上部に上面被せ板５と後面被せ板３とを被せて後面板７の繋止切れ目ｄに繋止片２の突起ａを繋止可能な繋止切れ目ｄと左右の肩部（図１では腰部）に切欠きｂ，ｂを設けた後面板７と、中央に取っ手板４を谷折り線を介して連設した幅狭の上面板９とを、それぞれ折り目線を介して順に連設して、底面板８の折り目線ｃを山折り又は谷折りして、前面板７の糊代片６，６と後面板７の左右部とを、偏平袋状に貼着したことを特徴とする袋状のキャリーカートンである。
【０００９】
本発明の袋状のキャリーカートンにおいては、底面板８の折り目線ｃを山折り又は谷折りして、前面板７の糊代片６，６と後面板７の左右部とを、偏平袋状に貼着したことによって、図２Ａ、図３に示すように、簡単な手作業で、図２Ｂに示すポンプ付の硬質ボトル２０と、図２Ｃに示す２個の詰替え用の軟質パウチ２１，２１とを、詰合せて収容して、上面被せ板５と後面被せ板３とを被せて、後面板７の繋止切れ目ｄに繋止片２の突起ａを繋止して、前面板７と後面板７との左右部が、底面板８の円弧状の左右端に沿って湾曲した、図２Ａに示す丸みを帯びた袋状の斬新な形状であって、前面板７と後面板７との左右の肩部の切欠きｂ，ｂ，ｂ，ｂから、詰合せて収容した軟質パウチ２１，２１の一部分が飛び出した、図２Ａに示す顧客が思わず手を出したくなるような、展示、販売効果が優れた袋状のキャリーカートンを得ることができる。
【００１０】
加えて、本発明の袋状のキャリーカートンは、前述した図１、図２、図３に示す袋状のキャリーカートンにおいて、図１、図２に示すように、前面板７の適宜の位置に、１個又は２個以上(図１、図２では２個)の適宜の目視開口ｅ,ｅ,…を設けたことを特徴とする袋状のキャリーカートンである。
【００１１】
本発明の袋状のキャリーカートンにおいては、前面板７の適宜の位置に、１個又は２個以上の適宜の目視開口ｅ,ｅ,…を設けたことによって、図２Ａに示すように、前面板７の目視開口ｅ,ｅ,…から、詰合せて収容した硬質ボトル２０と軟質パウチ２１,２１との一部分を目視することができる、しかも前面板７の目視開口ｅ,ｅ,…によって、一部分が飛び出した硬質ボトル２０を固定することもできる、さらに顧客が思わず手を出したくなるような、展示、販売効果が優れた袋状のキャリーカートンを得ることができる。
【００１２】
【発明の実施の形態】
本発明の袋状のキャリーカートンについては、後述する実施例に示すように、美麗な印刷をした適宜の板紙などを用いて、通常の打抜型を用いた打抜工程で、無駄が少ないほゞ長方形状の袋状のキャリーカートンのブランクを作製して、前面板７の糊代片６，６と後面板７の左右部とを、偏平袋状に機械的に貼着した後に、簡単な手作業で、図２Ｂに示すポンプ付の硬質ボトル２０と、図２Ｃに示す２個の詰替え用の軟質パウチ２１，２１とを、詰合せて収容して、上面被せ板５と後面被せ板３とを被せて、従来から周知のように、後面板７の繋止切れ目ｄに繋止片２の突起ａを繋止するだけで、簡単に前面板７と後面板７との左右部が、底面板８の円弧状の左右端に沿って湾曲した、丸みを帯びた袋状に製箱することができる、工程が簡単で作製費用が廉価な袋状のキャリーカートンを提供することができる。
【００１３】
【実施例】
図１は、本発明の実施例における、袋状のキャリーカートンのブランクの平面図である。
また図２Ａは、本発明の実施例における、硬質ボトル２０と軟質パウチ２１,２１とを詰合せて収容した、袋状のキャリーカートンの斜視図であって、図２Ｂ,Ｃは、硬質ボトル２０、軟質パウチ２１の斜視図である。
さらに図３は、本発明の実施例における、袋状のキャリーカートンの断面図である。
【００１４】
すなわち、下辺(図１では上辺)に突起ａ付の繋止片２を谷折り線を介して連設した後面被せ板３と、中央に半ドーナツ状の取っ手板４を谷折り線を介して連設した幅狭の上面被せ板５と、中央下部の左右辺に糊代片６,６を折り目線を介して連設して、左右の肩部に斜め円弧状の切欠きｂ,ｂを設けた前面板７と、中央に折り目線ｃを設けた左右端が円弧状の底面板８と、中央上部(図１では中央下部)に繋止切れ目ｄを設けて、左右の肩部(図１では腰部)に斜めの切欠きｂ,ｂを設けた後面板７と、中央に半ドーナツ状の取っ手板４を谷折り線を介して連設した幅狭の上面板９とを、それぞれ折り目線を介して順に連設して、前面板７の中央上部と中央下部とに、ほゞ半円状の目視開口ｅと松茸状の目視開口ｅとを設けた、図１に示す袋状のキャリーカートンのブランクであって、美麗な印刷をした４００ｇ/ｍ2の裏白コートボール紙を用いて、通常の打抜型を用いた打抜工程で、袋状の収容部の縦、横、高さが７０×２００×１８５ｍｍの、無駄が少ないほゞ長方形状の袋状のキャリーカートンのブランクを作製した。
【００１５】
次に、図１に示す袋状のキャリーカートンのブランクの、全ての符号がない１点鎖線で示す折り目線と折り目線ｃとを山折りして、また全ての符号がない破線で示す谷折り線を谷折りして、前面板７の糊代片６，６と後面板７の左右部とを、偏平袋状に機械的に貼着した後に、簡単な手作業で、例えばシャンプー、リンス、薬用石鹸などが入った、図２Ｂに示す１個のポンプ付のプラスチック製の硬質ボトル２０と、図２Ｃに示す２個の詰替え用の積層樹脂フィルム製の軟質パウチ２１，２１とを、詰合せて収容して、図３に示すように、上面被せ板５と後面被せ板３とを被せて、従来から周知の後面板７の繋止切れ目ｄに、従来から周知の繋止片２を挿入して突起ａを繋止して、本発明の実施例における、図２Ａに示す袋状のキャリーカートンを作製した。
【００１６】
本発明の実施例の袋状のキャリーカートンにおいては、前面板７と後面板７との左右部が、底面板８の円弧状の左右端に沿って湾曲した、図２Ａに示す丸みを帯びた袋状の斬新な形状であって、前面板７と後面板７との左右の肩部の斜めの切欠きｂ,ｂ,ｂ,ｂから、詰合せて収容した軟質パウチ２１,２１の一部分が飛び出した、また前面板７のほゞ半円状の目視開口ｅから、詰合せて収容した硬質ボトル２０と軟質パウチ２１,２１との一部分を目視することができる、さらに前面板７の松茸状の目視開口ｅから、詰合せて収容した硬質ボトル２０の一部分が飛び出した、図２Ａに示す顧客が思わず手を出したくなるような、展示、販売効果が優れた袋状のキャリーカートンを得ることができた。
【００１７】
しかも、本発明の実施例の袋状のキャリーカートンにおいては、前面板７の硬質ボトル２０の形状に適合した松茸状の目視開口ｅによって、一部分が飛び出した硬質ボトル２０を固定することができる、安定性が優れた袋状のキャリーカートンを得ることができた。
【００１８】
【発明の効果】
以上、実施例ほかに示すとおり、本発明の袋状のキャリーカートンにおいては、例えばシャンプー、リンス、薬用石鹸などが入った、ポンプ付のプラスチック製の硬質ボトル２０と、２個の詰替え用の積層樹脂フィルム製の軟質パウチ２１，２１とを、詰合せて収容する、工程が簡単で作製費用が廉価な板紙製などの、丸みを帯びた袋状の斬新な形状であって、顧客が思わず手を出したくなるような、展示、販売効果が優れた袋状のキャリーカートンを提供することができる。
【図面の簡単な説明】
【図１】本発明の実施例における、袋状のキャリーカートンのブランクの平面図である。
【図２】本発明の実施例における、図２Ａは、硬質ボトル２０と軟質パウチ２１,２１とを詰合せて収容した、袋状のキャリーカートンの斜視図であって、図２Ｂ,Ｃは、硬質ボトル２０、軟質パウチ２１の斜視図である。
【図３】本発明の実施例における、袋状のキャリーカートンの断面図である。
【図４】図４Ａ,Ｂは、従来のキャリーカートン、キャリーバッグの斜視図である。
【符号の説明】
２    …繋止片
３    …後面被せ板
４    …取っ手板
５    …上面被せ板
６    …糊代片
７    …前面板、後面板
８    …底面板
９    …上面板
２０  …硬質ボトル
２１  …軟質パウチ
ａ    …突起
ｂ    …切欠き
ｃ    …折り目線
ｄ    …繋止切れ目
ｅ    …目視開口
【図１】
0003997706.tif 000002
【図２】
0003997706.tif 000003
【図３】
0003997706.tif 000004
【図４】
0003997706.tif 000005